(57)【要約】コンピュータデバイス（２００，４００）は、相互に関連して可動するサブセクションに位置する複数のサブシステム（４１３，４２４）を有する。サブセクション間における通信は、ワイヤレストランシーバ（１０４，１０６）によって満たされ、エアギャップインタフェース（１２６，１２７）を介して伝送され、サブセクションを分離する。これらのサブセクションにおける多重通信サブシステム（４１３，４２４）のデータは、シングルデータストリームに多重化（１０２）され、ワイヤレストランシーバの通信プロトコルにエンコード（１０３）される。このエンコードされたデータストリームは、デコードされる（１０７）互換性のあるトランシーバ（１０６）に伝送される。デコードされたデータストリームは、通信サブシステムの各々の個々のデータストリームにデマルチプレクスされる（１０８）。ワイヤレストランシーバ（１０４，１０６）は、多重の通信プロトコルとラジオ周波数から光学周波数までの伝送周波数を含む。光学ファイバー、伝送ライン又はウェブガイドが、ワイヤレステクノロジーとプロトコルに拠り、各サブセクション内に複数の信号を伝送するために利用され得る。
2005537568.tif 000002
【特許請求の範囲】
【請求項１】
通信方法であって、
コンピュータデバイスの第１及び第２セクションをヒンジ状態に結合し、
前記第１セクションに通信プロトコルを有する第１ワイヤレストランシーバを配置し（３０１）、
前記第２セクションに前記通信プロトコルを有する第２トランシーバを配置し（３０２）、
前記第１セクションで１又はそれ以上の第１サブシステムのデータを多重化して第１データストリームを形成し（３０３）、
前記第１データストリームを前記通信プロトコルにエンコードして第１エンコードデータストリームを形成し（３０４）、かつ、
前記第１トランシーバからの前記第１エンコードデータストリームを、前記第１セクションの第１表面と前記第２セクションの第２表面との間のエアギャップを介して前記第２トランシーバに伝送する（３０５）ステップを含む、
方法。
【請求項２】
前記第２トランシーバによって受信される前記第１エンコードデータストリームをデコードして第３データストリームを形成し（３０７）、
前記第３データストリームをデマルチプレクスして、前記１又はそれ以上の第２サブシステムのシステムデータを形成し（３０８）、かつ、
前記第２サブシステムの対応する１つに前記システムデータを結合する（３０９）ステップを含む、
請求項１記載の方法。
【請求項３】
前記第２セクションに１又はそれ以上の第２サブシステムからのデータを多重化して第２データストリームを形成し、
前記第２データストリームを前記通信プロトコルにエンコードして第２エンコードデータストリームを形成し、かつ、
前記第２トランシーバから前記第１トランシーバに前記第２エンコードデータストリームを前記第１セクションの前記第１表面と前記第２セクションの前記第２表面との間の前記エアギャップを介して伝送するステップを含む、
請求項１記載の方法。
【請求項４】
前記第２トランシーバによって受信される第２エンコードデータストリームをデコードして第４データストリームを形成し、
前記第４データストリームをデマルチプレクスして前記１又はそれ以上の第１サブシステムのシステムデータを形成し、かつ、
前記システムデータを前記第１サブシステムの対応する１つに結合するステップを含む、
請求項３記載の方法。
【請求項５】
前記第１及び第２表面は、前記第１及び第２セクションを結合するヒンジ手段対応する回転軸に対して実質的に直交する、
請求項１記載の方法。
【請求項６】
前記第１及び第２表面は、前記第１及び第２セクションを結合するヒンジの手段に対応する回転軸に対して実質的に平行である、
請求項１記載の方法。
【請求項７】
前記第１表面は、前記第１トランシーバに結合される第１光ファイバーを含み、前記第２表面は、前記第２トランシーバに結合される第２光ファイバーを含む、
請求項５記載の方法。
【請求項８】
前記第１表面は、前記第１トランシーバに結合される第１光ファイバーを含み、前記第２表面は、前記第２トランシーバに結合される第２光ファイバーを含む、
請求項６記載の方法。
【請求項９】
前記第１及び第２表面は、相互に角度をなすポジションを有し、前記第１及び第２セクションを結合するヒンジ手段に対応する回転軸に対して直交する、
請求項１記載の方法。
【請求項１０】
前記第１表面は、前記第１トランシーバに結合される第１電磁変換器を有し、前記第２表面は、前記第２変換器に結合される第２電磁変換器を有する、
請求項９記載の方法。
【請求項１１】
前記１又はそれ以上の第１サブシステムには、ワイヤレスローカルエリアネットワークデバイス、ユニバーサルシリアルポートデバイス、及び液晶ディスプレイデバイスが含まれる、
請求項１記載の方法。
【請求項１２】
前記１又はそれ以上の第１サブシステムには、システムマザーボードに結合されるワイヤレスローカルエリアネットワークデバイス、ユニバーサルシリアルポートデバイス、及び液晶ディスプレイデバイスが含まれる、
請求項１記載の方法。
【請求項１３】
１又はそれ以上の第１サブシステムを有する第１セクション、
１又はそれ以上の第２サブシステムを有し、前記第１セクションにヒンジ結合される第２セクション、
通信プロトコルを有し、前記第１セクション一体化された第１ワイヤレストランシーバ、
前記通信プロトコルを有し、前記第２セクションに一体化された第２トランシーバ、
前記１又はそれ以上のサブシステムでデータを多重化して第１データストリームを形成するための第１マルチプレクス回路、
前記第１データストリームを前記通信プロトコルにエンコードして第１エンコードデータストリームを形成するための第１エンコード回路、
前記１又はそれ以上の第２サブシステムからのデータをデマルチプレクスして第３データストリームを形成するための第１デマルチプレクス回路、
前記第３データストリームを１又はそれ以上の第１サブシステムに結合するための手段、及び、
前記第１セクションの第１表面と前記第２セクションの第２表面を分離するエアギャップを含み、
前記第１表面は前記第１トランシーバに結合される前記第１通信径路を有し、前記第２表面は前記第２トランシーバに結合される第２通信径路を有し、前記第１トランシーバは前記第１エンコードデータストリームを前記第２トランシーバに伝送する、
コンピュータデバイス。
【請求項１４】
前記１又はそれ以上の第２サブシステムからのデータを多重化して第２データストリームを形成するための第２マルチプレクス回路、
前記１又はそれ以上の第１サブシステムからデータをデマルチプレクスして第４データストリームを形成するための第２デマルチプレクス回路、
前記第４データストリームを前記１又はそれ以上の第２サブシステムに結合するための手段、及び、
前記第２データストリームを前記通信プロトコルにエンコードして第２エンコードデータストリームを形成するための第２エンコード回路を含み、前記第２トランシーバは、前記第２エンコードデータストリームを前記第１トランシーバに伝送する、
請求項１３記載のコンピュータデバイス。
【請求項１５】
前記第１及び第２表面は、前記第１及び第２セクションを結合するヒンジ手段に対応する回転軸に対し実質的に直交する、
請求項１３記載のコンピュータデバイス。
【請求項１６】
前記第１及び第２表面は、前記第１及び第２セクションを結合するヒンジ手段に対応する回転軸に対し実質的に平行である、
請求項１３記載のコンピュータデバイス。
【請求項１７】
前記第１表面が前記第１トランシーバに結合される第１光ファイバーを含み、
前記第２表面が前記第２トランシーバに結合される第２光ファイバーを含む、
請求項１５記載のコンピュータデバイス。
【請求項１８】
前記第１表面が前記第１トランシーバに結合される第１光ファイバーを含み、
前記第２表面が前記第２トランシーバに結合される第２光ファイバーを含む、
請求項１６記載のコンピュータデバイス。
【請求項１９】
前記第１表面及び前記第２表面は、相互に角度をなすポジションを有し、前記第１及び前記第２セクションを結合するヒンジ手段に対応する回転軸に直交する、
請求項１３記載のコンピュータデバイス。
【請求項２０】
前記第１表面が前記第１トランシーバに結合される第１電磁変換器を含み、
前記第２表面は、前記第２トランシーバに結合される第２電磁変換器を含む、
請求項１９記載のコンピュータデバイス。
前記１又はそれ以上の第１サブシステムは、ワイヤレスローカルエリアネットワークデバイス、ユニバーサルシリアルポートデバイス、及び液晶ディスプレイデバイスを含む、請求項１３記載のコンピュータデバイス。
【請求項２１】
１又はそれ以上の第２サブシステムは、ワイヤレスローカルエリアネットワークデバイス、ユニバーサルシリアルポートデバイス、及びシステムマザーボードに結合されるストレージデバイスを含む、
請求項１３記載のコンピュータデバイス。
【発明の詳細な説明】
【技術分野】
【０００１】
本発明は、概して、ワイヤレス通信に関し、具体的には、ポータブル、ラップトップ、及び把持式コンピュータにおけるサブアセンブリ間のワイヤレス通信に関する。
【背景技術】
【０００２】
ポータブルコンピュータ（例、ラップトップ、把持式及びサブコンパクト）は、使用しないときに最大のコンポーネントや、ディスプレイ画面をたたんで収め、蓋部サブアセンブリをサポートすることにより、全体的なサイズ、容積ともに小型化を実現している。残念なことに、ディスプレイサブセクションをヒンジで取り付けることで、蓋部において通信を行うこと、又はデバイスに電力を供給することが困難となっている。これは、蓋部におけるデバイスと基底部におけるデバイスを接続するために用いられる複数の配線がヒンジ自体の中で繰り返し曲げざるを得ず、曲げ部と直線部が繰り返し生じることに起因する。更に、蓋部におけるデバイス（例、ＬＣＤグラフィックディスプレイ、ＵＳＢカメラ、及び他のデバイス）に対する複数の接続をヒンジの長さのわずかなエリア内に圧縮しなければならないので、多くの信号配線を要求することになるであろう。これらの配線を小さなエリアに圧縮することは、言い換えればトレースと他の妨害形式の間におけるクロストークの問題を生じさせる複数の小さな信号トレースサイズを必要とするのである。
【０００３】
ワイヤレスローカルエリアネットワーク（Wireless Local Area Network：ＷＬＡＮ）とワイヤレスワイドエリアネットワーク（Wireless Wide Area Network：ＷＷＡＮ）の接続性がこれらのポータブルコンピュータの形式に加えられるとき、この問題が悪影響を及ぼす。ＷＬＡＮとＷＷＡＮでは無線テクノロジーが用いられており、いずれも専用アンテナの内蔵を必要とする。このような専用アンテナは、ユニット内における可能な最も高い場所、通常はポータブルコンピュータの蓋部エリアに位置するとき、最適に動作する。ポータブルコンピュータのマザーボードと、蓋部に配置されるＷＬＡＮ及び／又はＷＷＡＮ無線サブシステムの間に求められる相互接続では、より高いのデータレートでの信号を加えるので、ヒンジ配線を更に複雑にする。加えて、市場の需要として、ポータブルコンピュータの全てのパーツが可能な限り薄くなることが求められるであろう。従って、場合によっては、配線システムのエレメント（例えば、フレキシブル回路、コネクタ、シールド及び配線）が、蓋部の厚みや、メインケース自体の厚みまでも制限を与えることにより、最終的に特定的なポータブルコンピュータの市場性を制限し得る。たとえヒンジの配線装置を、ＷＬＡＮ又はＷＷＡＮの何れか（又は双方）の無線インターフェース信号を含むように大きくしたとしても、この信号は、ＬＣＤディスプレイ等に対する信号のような、他の信号と干渉し得るか、あるいは干渉され得るのである。
【０００４】
最後に、ポータブルコンピュータにおける種々のサブシステムの配線システムエレメントのコストは、些細なものではない。専用のフレキシブル回路基板のみが、ヒンジエリアの環境の要求に求められるフレキシビリティと耐久性を備えた要求される信号ライン数を伝搬可能であることが見出されている。そのような配線サブアセンブリを、コンピュータ自体の本体内に構築し、組み立てることはコストがかかる。更に動き（折り畳む、スライドする等）に影響される配線サブシステムは、増大するコールと製品返却がある故に、ＯＥＭ（Original Equipment Manufacturer）カスタマーサービスコストの大きな原因になっている。近年のポータブルコンピュータシステムに求められるテクノロジーを絶えず追加し、市場性のある物理的なサイズと重量を保持することを可能にするためにポータブルコンピュータシステムの蓋部における本体とデバイスにおける信号通信を行うために必要とされる配線を低減するための方法が求められている。
【発明の開示】
【課題を解決するための手段】
【０００５】
低コストのポータブルコンピュータ相互接続の問題を解決するための解決方法は、電磁通信テクノロジーにある。機械的に接続される可動するセクション間の通信をワイヤレスに行うために無線、磁気、又は光学的な方法を用いる。本発明は、ケースのサブシステムとポータブルコンピュータの蓋部間の通信を行うために、ワイヤレステクノロジーを利用する。様々な電磁通信が、可動するセクション間において短いエアギャップ間隔をかけるために利用されてよい。蓋部と基底部は、相対的に移動可能となるようにヒンジで結合されている。蓋部における１又はそれ以上のサブシステムに関するデータは、後に基底部トランシーバのプロトコルにエンコードされるシングルデータストリームに多重化される。このデータは、基底部トランシーバと蓋部トランシーバを分離するエアギャップを介してワイヤレスで伝送される。受信されるデータは、デコードされ、デマルチプレクスされ、その後蓋部セクションのサブシステムに結合される。同様に、基底部における１又はそれ以上のサブシステムのデータは、シングルデータストリームに多重化（マルチプレクス）され、蓋部トランシーバのプロトコルにエンコードされる。データは、シングルリンク上に双方向的に伝送されてよいし、あるいは多重のワイヤレスリンク上に伝送されてよい。これらのワイヤレスリンクは、蓋部と基底部セクションを分離するエアギャップを介する通信において様々のプロトコル及び電磁的スペクトルを実行してよい。
【０００６】
上述したのは、以下に記載される本発明の詳細なる説明がより理解され得るために本発明のフィーチャと技術的な利点をむしろ幅広く概説したものである。本発明の追加のフィーチャと利点は、本発明の請求項の主要部を形成する。
【発明を実施するための最良の形態】
【０００７】
本発明及び本発明の利点は、添付した図面と、以下の詳細な説明を参照することによって、より完全に理解されるだろう。
以下の本文において、多くの特定的な詳細が本発明の完全な理解を提供するために記載される。しかし、当業者にとって、本発明は、そうした特定的な詳細を読むことなしに実施され得ることが明らかになるだろう。他の実施例において、公知である回路は、むだな詳細で本発明をあいまいにしないためにブロック図で示され得る。大部分において、本発明を完全に理解するために必要ではない、動作タイミング等の詳細は、出来るだけ除外されたが、これらは、関連する分野における当業者には自明の範疇である。
【０００８】
図面を参照すると、描かれているエレメントは、無用に実物大に示されていないし、幾つかの図を通じて、同様の符号は、同様のエレメントを表す。
【０００９】
本発明は、概して蓋部におけるサブシステムと基底部におけるマザーボードの間に必要とされる信号を結合するためにエアギャップインターフェースを使用する。エアギャップインターフェースは、蓋部と基底部が相互に関連して動くエリアを含む。蓋部は、通信プロトコルの異なる複数のサブシステムを有し得ることから、複数のデータ径路を単一径路かあるいは最大限二重の通信経路に統合することが望ましい。しかしながら、通信経路をそれ以上とすることも本発明の範囲である。これは、物理的なインターフェースが同様に統合されることを可能にする。
【００１０】
図１は、メイン通信リンクとしてエアギャップインターフェースを可能にするために求められる通信経路とエレメントの統合を表すブロック概略図である。例示的な蓋部１０１は、ワイヤレスローカルエリアネットワーク（Wireless Local Area Network：ＷＬＡＮ）、ユニバーサルシリアルポート（Universal Serial Port：ＵＳＢ）デバイス、及び液晶ディスプレイ（Liquid Crystal Display：ＬＣＤ）を含む。実際のデバイスは、図１に示されてはいないものの、その入力／出力（Ｉ／Ｏ）が識別されるようになっている。ＷＬＡＮ１１６がＷＬＡＮに関する信号を入力する。同様に、ＷＬＡＮ１１９がＷＬＡＮに関する信号を出力する。ＵＳＢは、入力ＵＳＢ１１７と出力ＵＳＢ１２０を用いて通信を行う。情報を表示するために用いられるＬＳＤサブシステム通信は、入力ＬＣＤ１１８と出力ＬＣＤ１２１を用いて通信を行う。マルチプレクサ（ＭＵＸ）／デマルチプレクサ（ＤＭＵＸ）１２０は、多重の通信径路（例、ＷＬＡＮ１１９、ＵＳＢ１２０及びＬＣＤ１２１）をシングル径路（例１２３）に統合するために用いられる。同様の方法で、径路１２２において統合されたデータ（Consolidated Data：ＣＤ）は、デマルチプレクス（逆多重化）されてＷＬＡＮ１１６，ＵＳＢ１１７、及びＬＣＤ１１８に送られる。ＣＤ１２２はデコードされ、ＣＤ１２３はエンコードされる。蓋部サブアセンブリへのデータは、ＣＤ１２２で受信され、エンコーダ／デコーダ１０３によってデコードされる。ＣＤ１２３は、物理的な電磁インターフェース（Physical Electromagnetic Interface：ＰＥＩ）１０４に用いられる特定的な通信プロトコルと互換性があるエンコードがなされる。
【００１１】
通信プロトコルは、デバイス間におけるデータ伝送を統制するハードウェア及びソフトウェア基準のことを称する。用語“プロトコル”は、かなり包括的であり、何百という通信方法に用いられる。この開示において、プロトコルは、特定的なワイヤレスと関連する電磁波に係るデータをエンコードし、デコードするために必要な又、変調／復調スキームも含む。
【００１２】
ＣＤ１２３は、エアギャップインターフェース１０５を介して伝送され、ＰＥＴ１０６において、受信される。エンコーダ／デコーダ１０７は、ＣＤ１２３をＣＤ１２５にデコードする。ＣＤ１２５は、メインロジックボード１０９の適切な回路において受信される個々のデータストリームＷＬＡＮ１１３，ＵＳＢ１１４及びＬＣＤ１１５を生成するためにＭＵＸ／ＤＭＵＸ１０８でデマルチプレクスされる。同様の方法でＷＬＡＮ１１０，ＵＳＢ１１１及びＬＣＤ１１２が、ＭＵＸ／ＤＭＵＸ１０８でマルチプレクスされ、エンコーダ／デコーダ１０６で結合されてＣＤ１２４が生成される。このＣＤ１２４は、エアギャップインターフェース１０５を介してエンコーダ／デコーダ１０３にデータを伝送するＰＥＩ１０４に結合される。ＣＤ１２２は、ＭＵＸ／ＤＭＵＸ１０２でデマルチプレクスされて個々のＷＬＡＮ１１６，ＵＳＢ１１７及びＬＣＤ１１８が生成される。ＰＥＩ１０４と１０６は、互換性のあるトランシーバシステムであり、電磁周波数スペクトルの幅広い範囲にわたって動作し得るとともに、多くの実行可能な変調スキームの１つを実行し得る。
【００１３】
この特定的な通信システム、ＰＥＩ１０４とＰＥＩ１０６は、明らかに特定的なシステムにおけるデバイスと互換性が必要であり、ポータブルコンピュータにおける標準のデバイスと、必要以上に干渉を生じさせないか、あるいは干渉を受けないものとする必要がある。図１に示すシステムは、配線テクノロジーを用いて接続され得るコンピュータにおける二つのロケーションのいずれに対しても適用でき、このような適用も、本発明の範疇に含まれるものである。
【００１４】
本発明の一実施形態では、蓋部と通信を光通信で行う。この実施形態において、光線は、ファイバーオプティックスのようなフレキシブルなライトパイプを用いてエアギャップインターフェースに結合されてよい。光線がブロードキャストモードでエアギャップインターフェースを介して通信を直接行うために用いられてよい。電球からの光線で部屋を照らすのとほぼ同様に、光電源からの調光が本発明の実施形態を実施してポータブルコンピュータの周りのエリアを照射するために用いられてよい。光ファイバーが、広範囲の帯域を有し、大量に製造されるているので、最適な解決方法であり得る。光ファイバーは、エアギャップインターフェースエリアの発生又は受信からの調光に結合することにおいて、大いにフレキシビリティを提供するが、調光源及びエアギャップインターフェースエリアエリアにレシーバを配置することも、又、本発明の範囲内である。
【００１５】
図２は、エアギャップインターフェースエリアに明かりを結合するために明かりと光ファイバーを用いることを表す。カットオフは、点（例２０８）で描かれ、図において通常、隠されるエレメントを表す。図２は、コンピュータデバイス２００の例示的な基底部２０３と蓋部２０１を表す。蓋部２０１は、円筒状エレメント２０４にフィットするホール２０６を有する。ホール２０６とエレメント２０４は、ヒンジエレメントとして動作する。対応するヒンジエレメント（図示されない）は、ヒンジアセンブリを完成するために蓋部２０１の他の側に配置され得る。蓋部２０１は、実質的にホール２０６と同軸であるように配置される光ファイバーを有する。円筒状構成成分２０４は、又、光ファイバー２０５からの光線が（光ファイバー２０５と光ファイバー２０７間の）エアギャップを介して光ファイバー２０７に達し得るようにホール２０８を有する。蓋部２０１は、基底部２０３上に、分離ギャップ２１０を介して閉じた状態で示される。蓋部２０１は、ヒンジエレメント（エレメント２０４とホール２０６）の軸２０９の周りに回転（オープン）し得る。基底部２０３における光ファイバー２０５は、動かない。光ファイバー２０７は動くものの、その通信の軸は固定され、光ファイバー２０５の方向を向いたままとなる。光ファイバー２０５は、基底部２０３のサブアセンブリ（例、マザーボード２１２）におけるトランシーバ（識別されない）に結合する。同様に、光ファイバー２０７は、蓋部２０１のサブアセンブリ２１３におけるトランシーバ（識別されない）に結合する。図２は、本発明の実施形態を、通信エレメントに物理的に触れることなく光学的に通信を行うためのエアギャップインターフェースに対してどのように適用するかを表すものである。
【００１６】
コンピュータデバイス２００において、データを伝搬するための手段は、ヒンジの回転軸における（光ファイバー２０５と２０７のケースにおいて）ウェーブガイドを配置することによって満たされ、それ故、ねじったり、曲げたりすることによって破損し得るような配線、チューブ、又は他の物理的なデバイスに直接触れることを回避する。データは、２つの別々のウェーブガイドによって伝搬され得るか、あるいは双方向データが（矢印２０２によって表される）同じウェーブガイドを介して伝搬され得るかであり、これは信号の周波数と変調方法に依存する。
【００１７】
図４Ａと４Ｂは、本発明の一実施形態に従ったコンピュータデバイス４００の図を表す。この例では、本発明の説明の簡潔さを期すために、光線が例示的なコンピュータデバイス４００において用いられる。他の電磁周波数が用いられてよいし、それは本発明の範囲内であることが理解されよう。
【００１８】
図４Ａにおいて、セクションＡ４０３とセクションＢ４０２はセクションＢ４０２がセクションＡ４０３に関連して回転し得るようにヒンジ手段（図示されない）に結合される。セクションＢ４０２がポジション１からポジション３に回転するので、セクションＢ４０２の表面４０６は、エアギャップによって分離され、実質的にセクションＡ４０３の表面４０４から一定の距離が置かれる。光ファイバー４１２は、トランシーバ（ＴＲ）４１１をセクションＢ４０２に結合する。同様に、光ファイバー４０８は、ＴＲ４０１を基底部０３の要求されるポジションに結合する。表面４０４は、ＴＲ４０２によって伝送される光線信号４０５の収束レンズ(focusing lenz)として形成される。これにより、光ファイバー４１２からの光線を、セクションＢ４０２が回転しても、ＴＲ４１１の位置から比較的独立に、光ファイバー４０８に焦点を合わせることが可能となる。ＴＲ４０１が伝送側であるとすると、光ファイバー４０８は、光線４３０がラジアルに分布するよう構成される。ＴＲ４１１から“見える”光線４３０の光度は、ラジアルなポジションによって変化し得るが、適切な変調技術により、セクションＡ４０３とセクションＢ４０２との間のエアギャップを介した通信を可能にするであろう。ベクトルＡ４０７，４０９及び４１０は、ＴＲ４１１によって受信される信号の規模がポジションによって変化し得ることを表す。表面４０４及びその周りのセクションＡ４０３の材料は、実質的に通信の周波数に対して透明である。
【００１９】
図４Ｂは、コンピュータデバイス４００のもう１つの図である。蓋部４０２は、ヒンジエレメント４１４と４１５によって基底部４０３にヒンジ付けされる。例示的なサブシステム４１３は、通信リンク４２０で電子部品４１６に結合される。電子部品４１６は、通信リンク４１９によりＴＲ４１１に結合される。ＴＲ４１１は、光ファイバー４１２により光信号を表面４０６に結合する。光データ４３１の通信は、表面４０６から表面４０４を分離するエアギャップを通じて蓋部２０１の回転軸に垂直に行われる。光ファイバー４０８は、光データ４３１をＴＲ４０１に結合する。ＴＲ４０１は、ＭＵＸｓ、エンコーダ、及び他の信号プロセッシング回路を含み得るマザーボードに結合される。例示的なサブシステム４２４は、マザーボード４１７に結合される。同様に、コネクタ４２２と４２３は（例えば通信リンク４２１を介して）結合され、コンピュータデバイス４００の外部にあるサブシステム（図示されない）を蓋部４０２のエレメントに結合するために用いられてよい。
【００２０】
コンピュータシステム４００は、表面４０６と表面４０４を分離するエアギャップを通じて通信を行うために光線を用いることが示されているが、他の通信周波数を用いてもよく、この形態も本発明の範囲内であることが理解されよう。
【００２１】
図５は、可動エレメントの間の通信が、無線又は通常、マイクロ波放射と称されるものを使用する本発明のもう１つの実施形態を示す。蓋部５０６は、ノートブックコンピュータ５００をオープンするために基底部５０１に関連してヒンジ５０５の周りを回転する。トランシーバ５０３は、示すように変更可能に配置されてよいし、ライン５０７又は５０８によって、表される放射パターンを有してよい。これらの放射パターンは、蓋部５０６における全ての表されるポジションにおいて、トランシーバ５０２を含み得る。
【００２２】
電磁放射の周波数（例５０７と５０８）は、単一周波数（直接周波数又は振幅変調）あるいは多重周波数（例えば、直交周波数分割多重のような様々なエンコーディングスキームを備えたスペクトラム拡散変調）のいずれで伝搬されるにせよ、広範囲となり得るが、それでも、蓋部５０６のトランシーバと基底部５０１間で求められるデータを送受信するよう使用可能であり得る。蓋部５０６と基体部５０１におけるトランシーバが求められる回転角度５０４を通じて伝送されるデータを受信するように配置される限り、図５に示す５０７と５０８を除いたウェーブパターンを用いることができる。
【００２３】
もう１つの実施形態において、トランシーバ５０２と５０３は、大きな連続性のある放射周波数の帯域を使用して、比較的割り込み性が小さく、低動力源の無線の構築を可能にする。この技術は、超広帯域：Ultra Wide Band（ＵＷＢ）無線として知られ、コンピュータの２セクション間を高速のパルスを伝搬するためにかなり広帯域周波数（低電力で）を使用する。
【００２４】
無線トランシーバを用いる実施形態は、トランシーバが対応するサブシステム内に配置される場所に関してフレキシビリティを有する。即ち、無線放射の特質が、ポータブルコンピュータの設計者にとって最も利便的である全ての方法において、トランスミッタとレシーバをヒンジ又は可動セクション内に配置されることを可能にする。
【００２５】
図３は、本発明の実施形態に使用される方法ステップを示すフロー概略図である。ステップ３０１において、通信プロトコルを有する第１のワイヤレストランシーバ（例、トランシーバ１０６）が、コンピュータデバイスの第１セクション（例、基底部１０９）に配置される。ステップ３０２において、通信プロトコルを有する第２ワイヤレストランシーバ（例、トランシーバ１０４）が、基底部１０９にヒンジで結合される第２セクション（例、蓋部１０１）に配置される。ステップ３０３において、基底部１０９の１又はそれ以上のサブシステムのデータが１０８においてマルチプレクスされ、第１データストリーム（例えば１２４）を形成する。ステップ３０４において、第１データストリーム１２４は、（例えばエンコーダ／コーダ１０７によって）通信プロトコルにエンコードされ、第１エンコードデータストリーム（例えば１２６）を形成する。第１エンコードデータストリーム１２６は、トランシーバ１０６からトランシーバ１０４にエアギャップインターフェース１０５を介して伝送され、蓋部１０１と基底部１０９の表面を分離する。ステップ３０６において、第１エンコードデータストリーム１２６は、トランシーバ１０４において受信される。第１エンコードデータストリーム１２６は、第３データストリーム（例、デコードされるデータ１２２）にデコードされる。ステップ３０８において、デコードされるデータ１２２は、１０２においてデマルチプレクスされ、１又はそれ以上のサブシステム（例、ＷＬＡＮ１１６デバイス、ＵＳＢ１１７デバイス又はＬＣＤ１１８）のシステムデータを形成する。ステップ３０９において、このシステムデータは、対応するサブシステムに結合される。
【００２６】
本発明及び本発明の利点を詳細に記載されたが、様々な変更、置き換え及び代替例が添付された請求項に限定された本発明の趣旨の範囲を逸脱することなしに為されることが可能であることが理解されよう。
【産業上の利用可能性】
【００２７】
基底部のデバイスから蓋部のデバイス間における物理的なデータ通信接続の移動、制限がコストを低減し得る。また、携帯コンピュータの効果を増大し得るので、そのようなデバイスの製造業者の製品に使用されるテクノロジーを向上さ得る。同時に、そのようなテクノロジーの増大に関連するコストの増加を抑えることが期待される。
【図面の簡単な説明】
【００２８】
【図１】本発明の実施形態に従って、信号が第１セクションのサブシステムから第２セクションのサブシステムに伝送されるプロセッシングを表すブロック概略図である。
【図２】本発明の実施形態に従ったコンピュータデバイスの部分説明図である。
【図３】本発明の実施形態に実行される方法ステップのフローである。
【図４Ａ】本発明の一実施形態に従ってエアギャップを介してデータを伝送することを表すコンピュータデバイスの説明図である。
【図４Ｂ】本発明の一実施形態に従ってエアギャップを介してデータを伝送することを表すコンピュータデバイスの説明図である。
【図５】ワイヤレス通信デバイスを含むコンピュータデバイスの２つのセクションの表面が角度に関係するポジションを有するコンピュータデバイスの側面図である。
【図１】
2005537568.tif 000003
【図２】
2005537568.tif 000004
【図３】
2005537568.tif 000005
【図４Ａ】
2005537568.tif 000006
【図４Ｂ】
2005537568.tif 000007
【図５】
2005537568.tif 000008
【国際調査報告】
2005537568.tif 000009
2005537568.tif 000010
2005537568.tif 000011